(57)【要約】【課題】電池モジュール支持バーおよび太陽電池モジュールを安定よく支持することができ、強い風雨や地震などにも十分に対抗できる瓦棒葺屋根への太陽電池モジュールの設置構造を提供する。【解決手段】。架台兼屋根板押さえ部材１１は電池モジュール支持バー４を支持する天板１９と、この天板１９の左右両側縁から左右一対の各側板２０を折り下げて形成し、天板１９の左右方向中央部に断面溝形状の凹溝２１を形成する。架台兼屋根板押さえ部材１１は吊子９および屋根板１，１の左右の両立上り連結縁６に亘ってその上から覆い被せるとともに、架台兼屋根板押さえ部材１１の凹溝２１の溝底部２１ａを通し内樋１０と共に吊子９のビス受け部１５に第２のビス２６で固定して、左右の各側板２０の下端に設けた屋根板押さえ部２０ａで屋根板１，１をこれの上方から押さえ付ける。【選択図】図１
2012102543.tif 000002
【特許請求の範囲】
【請求項１】
複数の金属製の屋根板（１）を瓦棒（２）を介して連結した瓦棒葺屋根（３）の瓦棒（２）の上に、瓦棒（２）の長手方向と直交する複数の電池モジュール支持バー（４）を瓦棒（２）の長手方向に所定間隔置きに配備し、隣り合う電池モジュール支持バー（４）（４）間で太陽電池モジュール（５）を支持するようにした瓦棒葺屋根への太陽電池モジュールの設置構造において、
屋根板（１）には、その左右の各側縁を折り上げて左右の各立上り連結縁（６）を形成し、この立上り連結縁（６）の上端側に被係留部（７）を形成しており、
瓦棒（２）は、吊子（９）と、棟から軒に亘って設けられる通し内樋（１０）と、軒棟方向に延びる金属製の架台兼屋根板押さえ部材（１１）とを備えており、
吊子（９）は野地板（１６）および母屋（１７）に第１のビス（１８）で固定されるベース部（１２）を形成するとともに、このベース部（１２）の左右両側縁から左右一対の係留部（１４）を折り上げて形成し、ベース部（１２）にビス受け部（１５）を設けており、
架台兼屋根板押さえ部材（１１）は電池モジュール支持バー（４）を支持する天板（１９）と、この天板（１９）の左右両側縁から左右一対の各側板（２０）を折り下げて形成し、天板（１９）の左右方向中央部に断面溝形状の凹溝（２１）を天板（１９）の長手方向に亘って形成しており、
吊子（９）の左右の各横外側部に左右の両屋根板（１）（１）の各立上り連結縁（６）を配置し、各立上り連結縁（６）の被係留部（７）を吊子（９）の左右の各係留部（１４）で上から受け止めるように構成しており、
通し内樋（１０）は吊子（９）のベース部（１２）上に配備しており、
架台兼屋根板押さえ部材（１１）は吊子（９）および左右の両立上り連結縁（６）に亘ってその上から覆い被せるとともに、架台兼屋根板押さえ部材（１１）の凹溝（２１）の溝底部（２１ａ）を通し内樋（１０）と共に吊子（９）のビス受け部（１５）に第２のビス（２６）で固定して、左右の各側板（２０）の下端に設けた屋根板押さえ部（２０ａ）で屋根板（１）（１）をこれの上方から押圧接当していることを特徴とする瓦棒葺屋根への太陽電池モジュールの設置構造。
【請求項２】
架台兼屋根板押さえ部材（１１）の左右の各側板（２０）の屋根板押さえ部（２０ａ）は断面凸円弧状に湾曲形成している、請求項１記載の瓦棒葺屋根への太陽電池モジュールの設置構造。
【発明の詳細な説明】
【技術分野】
【０００１】
本発明は、瓦棒葺屋根への太陽電池モジュールの設置構造に関する。
【背景技術】
【０００２】
従来、複数の金属製の屋根板を瓦棒を介して連結した瓦棒葺屋根に対する太陽電池モジュールの設置構造として、例えば、図５（ａ）（ｂ）に示すように、瓦棒３０の上に、瓦棒３０の長手方向（軒棟方向）と直交する複数の横架台（電池モジュール支持バー）３１を瓦棒３０の長手方向に所定間隔置きに配備し、隣り合う横架台３１，３１間で太陽電池モジュール３２を支持するようにしたものがある（例えば、特許文献１参照。）。
【０００３】
上記瓦棒葺屋根の瓦棒３０としては、一般に、例えば、図６に示すように、吊子３３と、キャップ３４とを備えている。瓦棒葺屋根の施工に際しては、左右の両側縁に立上り連結縁３５を有した屋根板３６を野地板３７上に配設した後、隣り合う屋根板３６，３６の立上り連結縁３５，３５どうしの間に、吊子３３を配置固定して、吊子３３の左右両側の係留部３８を屋根板３６の立上り連結縁３５の上端部３５ａに係止する。その後、隣り合う屋根板３６，３６の立上り連結縁３５，３５および吊子３３に亘ってキャップ３４をその上から被せ、キャップ３４の左右の両端部側３４ａを吊子３３の左右両側の係留部３８および屋根板３６の立上り連結縁３５の上端部３５ａに嵌合係止している（例えば、特許文献２、３参照。）。
【先行技術文献】
【特許文献】
【０００４】
【特許文献１】特開２００１−２６２８００号公報
【特許文献２】特開２０００−２２０２５７号公報
【特許文献３】特開平１０−１３１４２０号公報
【発明の概要】
【発明が解決しようとする課題】
【０００５】
図５（ａ）（ｂ）に示す上記構成の瓦棒葺屋根への太陽電池モジュールの設置構造では横架台３１にねじ止めフランジ３９を設け、このねじ止めフランジ３９を瓦棒３０に金属製ねじ４０で固定するようにしてあり、その際、その瓦棒３０として図６に示すようなキャップ３４を備えた瓦棒３０を採用することが考えられるが、こうした場合、横架台３１のねじ止めフランジ３９は図６に示す瓦棒３０のキャップ３４に金属製ねじ４０で固定することになる。
【０００６】
しかしながら、かかるキャップ３４では、隣り合う屋根板３６，３６の立上り連結縁３５，３５および吊子３３に被せ、該キャップ３４の左右の両端部側３４ａを吊子３３の左右両側の係留部３８および屋根板３６の立上り連結縁３５の上端部３５ａにそれぞれ嵌合係止しているだけであるため、横架台３１、太陽電池モジュール３２の支持力に劣り、不安定である。特に、そのように吊子３３や屋根板３６に対し嵌合係止されているだけのキャップ３４は、暴風や台風等の外乱力で屋根板３６および吊子３３から外れる虞が大であって、横架台３１、太陽電池モジュール３２の支持機能を全うし難い。
【０００７】
また、上記従来技術では、キャップ３４に金属ねじ４０で孔をあけることになるが、従来の瓦棒ではこのようなことが全く想定されていないため、この孔から屋根板の裏側（屋内側）に雨水等が侵入するおそれがある。特に、屋根の構造に関する知識の乏しい設置業者に太陽光パネル（太陽電池モジュール）の設置を依頼した場合（太陽光パネルの設置業者には、大きく言って電気関連の業者と屋根専門の業者とがある）、雨仕舞いを全く考慮せずに瓦棒部分や屋根板部分に孔をあけてしまうことがある。
【０００８】
本発明は、このような問題を解決するためになされたものであり、その目的とするところは、複数の金属製の屋根板を瓦棒を介して連結した瓦棒葺屋根の瓦棒の上に、瓦棒の長手方向（軒棟方向）と直交する複数の電池モジュール支持バー（横架台）を瓦棒の長手方向に所定間隔置きに配備し、隣り合う電池モジュール支持バー間で太陽電池モジュールを支持するようにした瓦棒葺屋根への太陽電池モジュールの設置構造において、瓦棒の一構成部材である在来の上記構造のキャップを省略し、これに代えて特殊な架台兼屋根板押さえ部材を採用し、また該架台兼屋根板押さえ部材の吊子への納まり方に工夫を凝らすことにより電池モジュール支持バーおよび太陽電池モジュールを安定よく支持することができ、暴風や台風などにも十分に対抗できる瓦棒葺屋根への太陽電池モジュールの設置構造を提供することにある。
【課題を解決するための手段】
【０００９】
本発明の瓦棒葺屋根への太陽電池モジュールの設置構造は、請求項１に記載のように、その発明の内容を理解しやすくするために図１〜４に示す符号を参照して説明すると、複数の金属製の屋根板（１）を瓦棒（２）を介して連結した瓦棒葺屋根（３）の瓦棒（２）の上に、瓦棒（２）の長手方向（軒棟方向）と直交する複数の電池モジュール支持バー（４）を瓦棒（２）の長手方向に所定間隔置きに配備し、隣り合う電池モジュール支持バー（４）（４）間で太陽電池モジュール（５）を支持するようにした瓦棒葺屋根への太陽電池モジュールの設置構造において、以下のように構成したことを特徴とする。
すなわち、屋根板（１）には、その左右の各側縁を折り上げて左右の各立上り連結縁（６）を形成し、この立上り連結縁（６）の上端側に被係留部（７）を形成する。そして、瓦棒（２）は、吊子（９）と、棟から軒に亘って設けられる通し内樋（１０）と、軒棟方向に延びる金属製の架台兼屋根板押さえ部材（１１）とを備える。
吊子（９）は野地板（１６）および母屋（１７）に第１のビス（１８）で固定されるベース部（１２）を形成するとともに、このベース部（１２）の左右両側縁から左右一対の係留部（１４）を折り上げて形成し、ベース部（１２）にビス受け部（１５）を設ける。
架台兼屋根板押さえ部材（１１）は電池モジュール支持バー（４）を支持する天板（１９）と、この天板（１９）の左右両側縁から左右一対の各側板（２０）を折り下げて形成し、天板（１９）の左右方向中央部に断面溝形状の凹溝（２１）を天板（１９）の長手方向に亘って形成する。
吊子（９）の左右の各横外側部に左右の両屋根板（１）（１）の各立上り連結縁（６）を配置し、各立上り連結縁（６）の被係留部（７）を吊子（９）の左右の各係留部（１４）で上から受け止めるように構成する一方、通し内樋（１０）を吊子（９）のベース部（１２）上に配備する。
そして、吊子（９）および左右の両立上り連結縁（６）に亘って架台兼屋根板押さえ部材（１１）を上から覆い被せるとともに、架台兼屋根板押さえ部材（１１）の凹溝（２１）の溝底部（２１ａ）を、通し内樋（１０）と共に吊子（９）のビス受け部（１５）に第２のビス（２６）で締め付け固定して、左右の各側板（２０）の下端に設けた屋根板押さえ部（２０ａ）で屋根板（１）（１）をこれの上方から押圧接当したものである。
【００１０】
上記の構成によると、架台兼屋根板押さえ部材（１１）についてその天板（１９）の左右方向中央部に断面溝形状の凹溝（２１）を有する断面形状に形成することで架台兼屋根板押さえ部材（１１）自体の剛性を高めることができる。
そして、このように剛性の高い架台兼屋根板押さえ部材（１１）の凹溝（２１）の溝底部（２１ａ）を吊子（９）のビス受け部（１５）に第２のビス（２６）で締め付け固定することにより、暴風や台風等で架台兼屋根板押さえ部材（１１）が屋根板（１）および吊子（９）から外れるのを確実に防止できるため、架台兼屋根板押さえ部材（１１）によって電池モジュール支持バー（４）および太陽電池モジュール（５）を安定よく確実に支持することができる。
しかも、架台兼屋根板押さえ部材（１１）の天板（１９）に凹溝（２１）を設けることで、この溝底部（２１ａ）を吊子（９）のベース部（１２）のビス受け部（１５）に可及的に近づけてこれら溝底部（２１ａ）とビス受け部（１５）との間の距離を短くすることができるので、第２のビス（２６）に過大なせん断方向の負荷が作用するのを抑止することができる。
【００１１】
他方、この架台兼屋根板押さえ部材（１１）の左右の各側板（２０）の下端に設けた屋根板押さえ部（２０ａ）で屋根板（１）（１）をこれの上方から強く押さえ付けることにより屋根板（１）（１）を強固に固定しているので、強風等によって屋根板（１）（１）が外れる心配がなく、別途キャップ等によって屋根板（１）（１）を吊子（９）に固定する必要がない。これにより、本発明の架台兼屋根板押さえ部材（１１）は、電池モジュール支持バー（４）および太陽電池モジュール（５）を支持するための架台と、屋根板（１）（１）を固定するための屋根板押さえ部材とを兼ねることになる。
【００１２】
さらに、屋根板押さえ部（２０ａ）で屋根板（１）（１）をこれの上方から強く押圧接当しているので、暴風雨や台風などの風雨が強く吹き付けられるときも風雨が屋根板押さえ部（２０ａ）と屋根板（１）との間から侵入するのを防止できる。
仮に、屋根板押さえ部（２０ａ）と屋根板（１）の間から雨水が侵入したとしても、屋根板（１）の立上り連結縁（６）の被係留部（７）を吊子（９）の左右の係留部（１４）で上から受け止めるように構成しているため、被係留部（７）が係留部（１４）によって遮蔽され、雨水が屋根板（１）の裏側（屋内側）に侵入するのを防止することができる。
【００１３】
さらに、吊子（９）のベース部（１２）上に通し内樋（１０）を配備するので、架台兼屋根板押さえ部材（１１）の凹溝（２１）の溝底部（２１ａ）とこれに挿通される第２のビス（２６）との間の隙間から雨水が侵入しても、この雨水を軒樋方向に排出することができるため屋根裏に漏れるのを防止できる。
【００１４】
請求項１に記載の瓦棒葺屋根への太陽電池モジュールの設置構造は、請求項２に記載のように、架台兼屋根板押さえ部材（１１）の左右の各側板（２０）の屋根板押さえ部（２０ａ）は断面凸円弧状に湾曲形成していることに特徴を有するものである。
【００１５】
これにより、屋根板押さえ部（２０ａ）と屋根板（１）の接触面積を小さくすることができるため、屋根板（１）と屋根板押さえ部（２０ａ）との接触間に雨水が停滞するのをよく抑えることができ、異なる金属製の屋根板（１）と屋根板押さえ部（２０ａ）との接触間で電蝕が発生するのを防止することができる。
【発明の効果】
【００１６】
本発明の瓦棒葺屋根への太陽電池モジュールの設置構造は、隣り合う屋根板（１）（１）の立上り連結縁（６）（６）同士間への雨水侵入を防止する機能と、屋根板（１）（１）を押さえる機能を兼備するのみならず、電池モジュール支持バー（４）および太陽電池モジュール（５）を安定よく支持することができ、暴風や台風などにも十分に対抗できるという利点がある。
【図面の簡単な説明】
【００１７】
【図１】本発明の一実施例を示す瓦棒葺屋根への太陽電池モジュールの設置構造の縦断正面図である。
【図２】図１におけるＡ−Ａ線断面図である。
【図３】他の実施例の瓦棒葺屋根への太陽電池モジュールの設置構造を図１に相応して示す縦断正面図である。
【図４】更に他の実施例の瓦棒葺屋根への太陽電池モジュールの設置構造を図１に相応して示す縦断正面図である。
【図５】従来例の瓦棒葺屋根への太陽電池モジュールの設置構造を示し、（ａ）はその斜視図、（ｂ）はその断面図である。
【図６】他の従来例の瓦棒葺屋根構造の断面図である。
【発明を実施するための形態】
【００１８】
以下、本発明の瓦棒葺屋根への太陽電池モジュールの設置構造の実施の形態を、図面に基き説明する。
【００１９】
図１、図２において、この瓦棒葺屋根への太陽電池モジュールの設置構造は、複数の鋼板など金属製の屋根板１を瓦棒２を介して連結した瓦棒葺屋根３の瓦棒２の上に、瓦棒２の長手方向（軒棟方向・屋根傾斜方向）と直交する複数の電池モジュール支持バー４を瓦棒２の長手方向に所定間隔置きに配備し、隣り合う電池モジュール支持バー４，４間で太陽電池モジュール５を支持するようにしたものである。
【００２０】
図１に示すように、屋根板１には、屋根板本体１ａの左右の各側縁を折り上げて左右の各立上り連結縁６を形成する。この立上り連結縁６の上縁を屋根板本体１ａ側へ折り返し、この折り返し上端部で被係留部７を形成する。立上り連結縁６の中間高さ部には遮水凸条８を屋根板本体１ａ側へ膨出させて形成する。
【００２１】
瓦棒２は、吊子９と、通し内樋１０と、架台兼屋根板押さえ部材１１とを備える。
【００２２】
図１、図２に示すように、吊子９はアルミニューム合金を押出成形して得る型材などからなる金属製のものであって、ベース部１２と、このベース部１２の左右両側縁から折り上げて形成した左右一対の側板１３とを有する断面溝形状に形成される。左右の各側板１３の上端側には各側板１３の上端縁を外側下方へ向けて折り下げて係留部１４，１４を形成する。またベース部１２の内面中央部は厚肉化してビス受け部１５を突設している。ビス受け部１５は、吊子９の長手方向に亘って一連に形成されている。これにより、ビスを設ける場所の制約を受けないという利点がある。ベース部１２は木毛セメント板等の野地板１６および母屋１７にビス受け部１５にこの上から挿入されるセルフドリルビス等の第１のビス１８で固定される。ビス受け部１５が吊子９の長手方向に亘って一連に形成されているため、ビス（第１のビス１８だけでなく、後述する第２のビス２６も含む）を設ける場所の制約を受けないという利点がある。なお、吊子９には軒棟方向に長尺の通し吊子、あるいは短尺の部分吊子が用いられる。
【００２３】
架台兼屋根板押さえ部材１１はアルミニューム合金を押出成形して得る型材などからなる金属製のものであって、天板１９と、この天板１９の左右両側縁から折り下げて形成する左右一対の側板２０と、天板１９の左右方向中央部に天板１９の長手方向に亘って形成する断面溝形状の凹溝２１とを有する形に形成している。左右の各側板２０の下端には屋根板押さえ部２０ａを形成している。
【００２４】
通し内樋１０は吊子９のベース部１２上に添わされる形状の溝底板２２と、吊子９の左右の側板１３の内面に添わされる形状の左右一対の側板２３とを有する形に形成されるとともに、左右の各側板２３の上端側には該側板２３の上端縁を外側下方へ向けて折り下げ吊子９の係留部１４上に外嵌可能な形の係合部２４を形成している。溝底板２２の中央部には吊子９のビス受け部１５を覆う断面門形形状の架台受け部２５を形成している。通し内樋１０は、棟（不図示）から軒（不図示）に亘って設けられている。
【００２５】
図２に示すように、電池モジュール支持バー４は全体を断面ハット形状に形成して太陽電池モジュール５の周枠５ａを受け止める一対の周枠受け部４ａ，４ａと、一対のねじ止めフランジ４ｂ，４ｂを設けている。ねじ止めフランジ４ｂは架台兼屋根板押さえ部材１１の天板１９の上に直交状に載置し、止めねじ２９で固定するようしてある。電池モジュール支持バー４は、太陽電池モジュール５を支持するにあたって、モジュール押さえ部材４１、硬質ゴム４２および押さえねじ４３を併用する。モジュール押さえ部材４１は、一対の係止部４１ａ，４１ａを有する断面溝形状に形成され、電池モジュール支持バー４の上に硬質ゴム４２を介して載置されて押さえねじ４３で固定されるとともに、係止部４１ａ，４１ａを隣り合う太陽電池モジュール５の周枠５ａの溝部５ｂに嵌合するようにしてある。
【００２６】
瓦棒葺屋根３の施工に際しては、吊子９の左右の各横外側部に、野地板１６上に防水シート２８を介して敷設する左右の両屋根板１，１の各立上り連結縁６を配置する。各立上り連結縁６の被係留部７を吊子９の左右の各係留部１４で上から受け止める。
【００２７】
吊子９の内部には通し内樋１０を配備する。その際、通し樋１０の溝底板２２を吊子９のベース部１２上に、通し樋１０の左右の側板２３を吊子９の左右の側板１３の内面にそれぞれ添わせるとともに、通し樋１０の左右の係合部２４を吊子９の左右の係留部１４上に外嵌固定する。
【００２８】
そして、吊子９および屋根板１，１の立上り連結縁６，６に亘って架台兼屋根板押さえ部材１１をこれの左右の側板２０，２０が立上り連結縁６，６を覆い、かつ凹溝２１部が吊子９内に入るようにその上方から覆い被せるとともに、架台兼屋根板押さえ部材１１の凹溝２１の溝底部２１ａを通し内樋１０の架台受け部２５と共に吊子９のビス受け部１５にセルフドリルビス等の第２のビス２６で締め付け固定する。この締め付けにより、架台兼屋根板押さえ部材１１の左右の各側板２０の下端に設けた屋根板押さえ部２０ａが屋根板１，１をこれの上方から押圧して該屋根板１，１の上面に接当することになる。屋根板１，１は、この架台兼屋根板押さえ部材１１の押圧接当により野地板１６等の屋根下地上に強固に固定されることになる。
【００２９】
次に、架台兼屋根板押さえ部材１１の天板１９の上に電池モジュール支持バー４を直交状に載置し、ねじ止めフランジ４ｂを止めねじ２９で固定する。電池モジュール支持バー４の一対の周枠受け部４ａ上に隣り合う太陽電池モジュール５の周枠５ａをそれぞれ載置し、モジュール押さえ部材４１を電池モジュール支持バー４の上に硬質ゴム４２を介して載置して係止部４１ａ，４１ａを隣り合う太陽電池モジュール５の周枠５ａの溝部５ｂに嵌合係止する。かくして押さえねじ４３でモジュール押さえ部材４１を硬質ゴム４２ごと電池モジュール支持バー４に固定する。
【００３０】
上記のように、架台兼屋根板押さえ部材１１をその天板１９に断面溝形状の凹溝２１を有する断面形状に形成してあるので、架台兼屋根板押さえ部材１１それ自体の剛性（断面二次モーメント）を高めることができる。
そして、このように剛性の高い架台兼屋根板押さえ部材１１の凹溝２１の溝底部２１ａを吊子９のビス受け部１５に第２のビス２６で締め付け固定することにより、暴風や台風等で架台兼屋根板押さえ部材１１が屋根板１および吊子９から外れるのを確実に防止できるため、架台兼屋根板押さえ部材１１による電池モジュール支持バー４および太陽電池モジュール５の支持機能を十分に果たすことができる。
【００３１】
また、架台兼屋根板押さえ部材１１の凹溝２１の溝底部２１ａは吊子９のビス受け部１５に第２のビス２６で締め付け固定することにより、架台兼屋根板押さえ部材１１の左右の各側板２０の下端に設けた屋根板押さえ部２０ａで屋根板１，１をこれの上方から強く押さえ付けることができる。これにより架台兼屋根板押さえ部材１１を屋根板１，１および吊子９に対し安定良く定置固定でき、この架台兼屋根板押さえ部材１１により電池モジュール支持バー４および太陽電池モジュール５をより一層安定良く確実に支持することができる。
【００３２】
さらに、架台兼屋根板押さえ部材１１の左右の各側板２０の下端に設けた屋根板押さえ部２０ａが屋根板１，１をこれの上方から強く押圧接当することにより、暴風雨や台風などの風雨が強く吹き付けられるときも風雨が屋根板押さえ部２０ａと屋根板１との間から侵入するのを防止できるとともに、強風から生ずる負圧で屋根板１が浮き上がって引き剥がされるのを確実に防止できる。したがって、別途キャップ等によって屋根板１，１を吊子９に固定しておく必要がない。架台兼屋根板押さえ部材１１は、かかるキャップによる屋根板固定機能を兼備しているものである。
【００３３】
しかも、架台兼屋根板押さえ部材１１の天板１９に凹溝２１を設けることで、この溝底部２１ａを吊子９のベース部１２のビス受け部１５に可及的に近づけられてこれら溝底部２１ａとビス受け部１５との間の距離を短くすることができ、これにより第２のビス２６に過大なせん断方向の負荷が作用するのを抑止することができる。
【００３４】
さらに、屋根板押さえ部２０ａで屋根板１，１をこれの上方から強く押圧接当しているので、暴風雨や台風などの風雨が強く吹き付けられるときも風雨が屋根板押さえ部２０ａと屋根板１との間から侵入するのを防止できる。
また、仮に屋根板押さえ部２０ａと屋根板１との間から雨水が侵入したとしても、屋根板１の立上り連結縁６の被係留部７を吊子９の左右の係留部１４で上から受け止めるように構成しているので、被係留部７が係留部１４によって遮蔽され、雨水が屋根板１の裏側（屋内側）に侵入するのを防止することができる。
【００３５】
さらに、吊子９のベース部１２上に通し内樋１０を配備するので、架台兼屋根板押さえ部材１１の凹溝２１の溝底部２１ａとこれに挿通される第２のビス２６との間の隙間から雨水が侵入しても、この雨水を通し内樋１０を介した図外の軒樋の方向へ流出することができて屋根裏への雨漏れを防止できる。
【００３６】
架台兼屋根板押さえ部材１１の側板２０と屋根板１と立上り連結縁６とで取り囲まれた内部に、広い緩衝空間２７（図１参照）を形成することができる。これにより屋根板１上の雨水の一部が、たとえ、架台兼屋根板押さえ部材１１の側板２０の下端の屋根板押さえ部２０ａと屋根板１との間から侵入しても、この侵入雨水は側板２０内の広い緩衝空間２７で失速・落下するため、風雨の強いときでも、雨水が屋根板１，１同士間の連結部から屋根裏へ漏れるのを防止できる。
【００３７】
立上り連結縁６の中間高さ部に遮水凸条８を屋根板本体１ａ側へ膨出させて形成することにより、緩衝空間２７内で失速し、勢いの弱まった侵入水は、立上り連結縁６の遮水凸条８により下方へ跳ね返されるため、緩衝空間２７内を上向きに通過することが殆ど無くなり、屋根板１，１同士間の連結部からの雨漏り防止に貢献する。
【００３８】
図３、図４は、別実施例に係る瓦棒葺屋根への太陽電池モジュールの設置構造を示している。図３、図４において、図１及び図２で示した実施例と同じ部材には同じ符号を付している。
図３、図４の実施例では、それぞれ、架台兼屋根板押さえ部材１１の左右の各側板２０の屋根板押さえ部２０ａを断面凸円弧状に湾曲する形に形成している。
これにより、屋根板１と屋根板押さえ部２０ａとの接触面積を小さくすることができるため、そこに雨水が停滞するのをよく抑えることができ、異なる金属製の屋根板１と屋根板押さえ部２０ａとの接触間で電蝕が発生するのを防止することができる。
【符号の説明】
【００３９】
１      屋根板
２      瓦棒
３      瓦棒屋根
４      電池モジュール支持バー
５      太陽電池モジュール
６      立上り連結縁
７      被係留部
９      吊子
１０    通し内樋
１１    架台兼屋根板押さえ部材
１２    ベース部
１４    係留部
１５    ビス受け部
１６    野地板
１７    母屋
１８    第１のビス
１９    天板
２０    側板
２１    凹溝
２１ａ  溝底部
２６    第２のビス
【図１】
2012102543.tif 000003
【図２】
2012102543.tif 000004
【図３】
2012102543.tif 000005
【図４】
2012102543.tif 000006
【図５】
2012102543.tif 000007
【図６】
2012102543.tif 000008